(57)【要約】【課題】防火シャッターの下など、危険が予想される場所で、従来の警告板等では周囲の背景に紛れ風景と同化してしまうなどし、児童生徒等の注意を容易に喚起できない点である。【解決手段】防火シャッターの下、下足口など段差のある場所など、児童生徒等が立ち入ったり立ち止まったりすることが危険な箇所付近の床面又は壁面に貼付し、形状又は色彩において特徴のある構成によってその存在が児童生徒等の視覚に容易に留まり、児童生徒等の注意を喚起する。【選択図】  図１
2004325977.tif 000002
【特許請求の範囲】
【請求項１】
シート周辺部に配される枠部と、
文字が一色で描かれている前記枠部に囲まれた文字配置部と、
を有する床上に貼り付けて人の注意を喚起するための注意喚起シート。
【請求項２】
貼付け箇所が、壁面である請求項１に記載の注意喚起シート。
【請求項３】
前記枠部が、シート最周辺部に配される外枠部と、
上記外枠部の内側に配される内枠部とからなる
請求項１又は２に記載の注意喚起シート。
【請求項４】
前記枠部が、シート最周辺部に配される外枠部と、
上記外枠部の内側に配される第一内枠部と、
上記第一内枠部の内側に配される第二内枠部とからなる、
請求項１又は２に記載の注意喚起シート。
【請求項５】
前記枠部が、異なる有彩色又は無彩色の線が交互に配置される縞模様である請求項１から４のいずれか一に記載の注意喚起シート。
【請求項６】
前記枠部が、ほぼ同じ太さの異なる有彩色又は無彩色の線が交互に配置される縞模様である請求項５に記載の注意喚起シート。
【請求項７】
前記枠部の前記縞模様は、斜線を配してなる請求項５又は６のいずれか一に記載の注意喚起シート。
【請求項８】
前記枠部の前記縞模様は二色の異なる有彩色又は無彩色で描かれた二種類の線からなる請求項５から７のいずれか一に記載の注意喚起シート。
【請求項９】
前記枠部の縞模様に配される二色は、ＪＩＳ規格Ｚ８７２１の１０色相の色相環において、色相差が互いに３以上５以下である請求項８に記載の注意喚起シート。
【請求項１０】
前記二種類の有彩色又は無彩色のうち、一方一種類は，前記ＪＩＳ規格Ｚ８７２１における明度が０ないし３．０のうちのいずれか一であり、かつ、前記彩度が０ないし２のいずれか一である有彩色又は無彩色
で描かれた線であり、
他方一種類は、前記ＪＩＳ規格Ｚ８７２１の１０色相の色相環における色相がＹ又はＹＲのいずれか一で定義され、明度が６以上であり、かつ、彩度が４以上である有彩色で描かれた線である
請求項８記載の注意喚起シート。
【請求項１１】
前記一方一種類の有彩色又は無彩色で描かれた線と、前記他方一種類の有彩色又は無彩色で描かれた線との幅の比率が１：２から１：１０である請求項１０記載の注意喚起シート。
【請求項１２】
前記文字配置部の文字は、前記ＪＩＳ規格Ｚ８７２１における明度が７．５以上である有彩色又は無彩色が配された請求項１から１１のいずれか一に記載の注意喚起シート。
【請求項１３】
前記文字配置部の背景は一色の有彩色で描かれた矩形であり、
前記文字配置部における文字は一色の有彩色で描かれ、
前記文字の色と、前記背景の色とは、前記ＪＩＳ規格Ｚ８７２１の１０色相の色相環において、色相差が互いに３以上５以下である請求項１から１１のいずれか一に記載の注意喚起シート。
【請求項１４】
前記文字配置部の背景は、前記ＪＩＳ規格Ｚ８７２１の１０色相の色相環における色相がＹ又はＹＲのいずれか一で定義され、明度が６以上であり、かつ、彩度が４以上である有彩色で描かれた矩形であり、
前記文字配置部の文字は、前記ＪＩＳ規格Ｚ８７２１における明度が０ないし３．０のうちのいずれか一であり、かつ、前記彩度が０ないし２のいずれか一である有彩色又は無彩色で描かれた
請求項１から１１のいずれか一に記載の注意喚起シート。
【請求項１５】
前記シートは、前記枠部及び文字配置部を描くための描画シートと、
前記描画シートの上面を保護するための透明保護シートと、
からなる請求項１から１４のいずれか一に記載の注意喚起シート。
【請求項１６】
前記シートの形状は、矩形であり、
前記文字を描いて並べる方向である長さ方向の長さと、
前記長さ方向に直角を成す方向である幅方向と長さの比率が、
４：１から２０：１の範囲である請求項１から１５のいずれか一に記載の注意喚起シート。
【請求項１７】
前記シートの
前記枠部の前記幅方向の幅である枠部幅と、
前記文字配置部の前記幅方向の幅である文字配置部幅との比率は、
１：４から１：７の範囲である請求項１から１６のいずれか一に記載の注意喚起シート。
【請求項１８】
前記文字配置部幅と、前記文字配置部に配される文字の最大高さとの比率が、
１０：５から１０：９の範囲である請求項１から１７のいずれか一に記載の注意喚起シート。
【請求項１９】
前記文字配置部には、前記幅方向に二段に分けて文字が配置されており、
前記二段に分けられて配置される文字列は、互いに上下逆向きに配置されている請求項１から１７のいずれか一に記載の注意喚起シート。
【請求項２０】
前記文字配置部には、非常口の位置又は方向を示す文字が配されている請求項１から１９のいずれか一に記載の注意喚起シート。
【請求項２１】
前記文字配置部には、消火器又は消火栓の存在又は位置を示す文字が配されている請求項１から１９のいずれか一に記載の注意喚起シート。
【請求項２２】
請求項１又は３ないし１９のいずれか一に記載の注意喚起シートを防火シャッターを下ろした際の床と前記防火シャッター下面との接触面に配置したシャッター構造体。
【請求項２３】
前記シャッター構造体を有する児童が利用する建築物。
【請求項２４】
請求項１又は３ないし１９のいずれか一に記載の注意喚起シートを、防火扉を開閉する際の防火扉と、床との通過領域に配置した防火扉構造体。
【請求項２５】
前記防火扉構造体を有する児童が利用する建築物。
【請求項２６】
請求項１又は３ないし１９のいずれか一に記載の注意喚起シートを、下足口の床面に配置した下足口。
【発明の詳細な説明】
【０００１】
本発明は、児童の注意を容易に喚起する表示シートに関するものである。
【従来の技術】
学校等の、児童生徒等が使用する建物等においては種々の危険がある。例えば、防火シャッターなどが誤動作する場合、たまたま当該防火シャッター下にいる児童がはさまれ怪我をするなどの危険があった。また、玄関の下足口などの段差のある場所において、児童生徒等が床上部など段差の上の段から土足部など段差の下の段に落ちる危険があった。
【０００２】
かかる危険を防止するために当該防火シャッターの下などの危険箇所が危険である旨等の注意を喚起するための有用なものはなかった。
【０００３】
【発明が解決しようとする課題】
解決しようとする問題点は、防火シャッターの下など、危険が予想される場所であるが、従来の警告板等では周囲の背景に紛れ風景と同化してしまうなどし、児童生徒等の注意を容易に喚起できない点である。
【０００４】
【課題を解決するための手段】
本発明は、防火シャッターの下、下足口など段差のある場所など、児童生徒等が立ち入ったり立ち止まったりすることが危険な箇所付近の床面又は壁面に貼付し、形状又は色彩において特徴のある構成によってその存在が児童生徒等の視覚に容易に留まり、児童生徒等の注意を喚起することを最も主要な特徴とする。
【発明の実施の形態】
以下に、本発明の実施の形態を説明する。なお、本発明はこれら実施の形態に何ら限定されるものではなく、その要旨を逸脱しない範囲において、種々なる態様で実施しうる。
【０００５】
実施形態１は、主に請求項１などについて説明する。
【０００６】
実施形態２は、主に請求項２などについて説明する。
【０００７】
実施形態３は、主に請求項３などについて説明する。
【０００８】
実施形態４は、主に請求項４などについて説明する。
【０００９】
実施形態５は、主に請求項５などについて説明する。
【００１０】
実施形態６は、主に請求項６などについて説明する。
【００１１】
実施形態７は、主に請求項７などについて説明する。
【００１２】
実施形態８は、主に請求項８などについて説明する。
【００１３】
実施形態９は、主に請求項９などについて説明する。
【００１４】
実施形態１０は、主に請求項１０などについて説明する。
【００１５】
実施形態１１は、主に請求項１１などについて説明する。
【００１６】
実施形態１２は、主に請求項１２などについて説明する。
【００１７】
実施形態１３は、主に請求項１３などについて説明する。
【００１８】
実施形態１４は、主に請求項１４などについて説明する。
【００１９】
実施形態１５は、主に請求項１５などについて説明する。
【００２０】
実施形態１６は、主に請求項１６などについて説明する。
【００２１】
実施形態１７は、主に請求項１７などについて説明する。
【００２２】
実施形態１８は、主に請求項１８などについて説明する。
【００２３】
実施形態１９は、主に請求項１９などについて説明する。
【００２４】
実施形態２０は、主に請求項２０などについて説明する。
【００２５】
実施形態２１は、主に請求項２１などについて説明する。
【００２６】
実施形態２２は、主に請求項２２などについて説明する。
【００２７】
実施形態２３は、主に請求項２３などについて説明する。
【００２８】
実施形態２４は、主に請求項２４などについて説明する。
【００２９】
実施形態２５は、主に請求項２５などについて説明する。
【００３０】
実施形態２６は、主に請求項２６などについて説明する。
＜＜実施形態１＞＞
【００３１】
実施形態１について説明する。
【００３２】
＜実施形態１：構成＞
【００３３】
図１に、実施形態１の注意喚起シートの図を示す。実施形態１の注意喚起シートは、シート周辺部に配される枠部１と、文字が一色で描かれている前記枠部に囲まれた文字配置部２とで構成され、注意を喚起させる場所の床面に貼付される。
【００３４】
「枠部」は、注意喚起シートの端にそって注意喚起シートの中央部を取り囲むように配置されている。枠は、一色のものであっても良いし、二色以上の組合せによりなるものであっても良い。この枠部の働きは、枠に囲まれた部分に注目を集めるためにまず、注意喚起シート自体に注目を集めるためにある。そして、この枠部に集められた注目、即ち、視点は、枠部に対して注目した次の瞬間に、その枠部にて囲まれた部分に移ることとなる。本件発明では、この枠部に取り囲まれた部分に伝達したい情報をわかりやすく記載などして所定の注意を喚起し、所望の効果を期待するものである。
【００３５】
従って、この枠部は、いかに最初の注目を獲得するかという観点から設計される。例えば枠部がその枠に囲まれた部分を立体的に盛り上がって見せるための陰影を擬似的に表したものや、逆に、その枠に囲まれた部分があたかも立体的な凹状に陥没しているように陰影を擬似的に表したものなどが考えられる。
【００３６】
また、枠部は、最初の注目を獲得する機能を有するものであるから、枠部の幅は、注視しなければ判別できないような細いものであってはならず、少なくとも５センチメートル以上あることが望ましい。
【００３７】
上記文字配置部２に描かれる文字は、「きけん！ここに、はいらないで！！」、「きけん！ここでたちどまらないで！！」、「ここはシャッターです。たちどまらないで。」、など、注意喚起シートが貼付された床面の付近の場所が危険であることを警告する旨を表示する内容のものなどを記載することができる。先に述べたように、この文字配置部は、枠部によって注意喚起シートに集められた視線を移動させることでその文字に注目をさせ、その文字が表している内容により注意を喚起する。従って、その文字は、読みやすく、また、その文字を読ませることを想定している人物に適した表現とすることが好ましい。
【００３８】
例えば、文字の大きさは、その文字を読ませることを想定している人物が、視線を文字配置部に注目した瞬間のほんのわずかな時間で読み取ることができるよう、大きな文字で記載されることが望ましい。
【００３９】
また、文字の色は、一色とする。二色以上の文字を使用することは、文字自体を判読しにくくし、枠部と文字部との判別を困難にさせ、見る者をして一見して内容を把握せしめることを妨げるものである。文字に使用される一色の色は問わないが、枠部で使用されている色と異なる色を用いることが、文字の判読性を低下させないために望ましい。
【００４０】
さらに、文字配置部の背景は、枠部と同色の色でもよいが、枠部の色及び文字の色のいずれとも異なる色を用いて、文字を取り囲む矩形の形状で、文字の背景部を塗色することもできる。後者の場合、文字の判読性はより高まることになる。
【００４１】
さらに、表示する文字の種類は、その文字を読ませることを想定している人物が小学生の場合には、読解が困難な漢字又は外国文字などを使うべきでないし、一見して内容を把握し、かつ、その把握された内容を動機として、所定の行動を誘引する文字であることが好ましい。従って、上記のように、「きけん」という言葉を読み手に応じて、ひらがなのみ、又は漢字を利用して表示する。また、「きけん」という文字をさらに解りやすく、「あぶない」などと表示することができる。
【００４２】
注意喚起シートが貼付される場所は、建物内の床の上である。床の材質は問わない。場所としては、天井に建物備付の非常用防火シャッターが設置されており、当該防火シャッターが作動したとき、当該防火シャッターの下面が接するところの床面や、学校・幼稚園などの玄関の下足口などの段差のある場所における床上部など段差の上の段付近など、何らかの注意を喚起したい場所であればどこでも貼付することができる。
【００４３】
注意喚起シートの素材は、注意喚起シートが床に貼付されるものであり、注意喚起シートは、同シートの上を、人が歩行したり台車などの重量物が通過したりすることによって磨耗、引っかき傷が生じやすく、汚れがつきやすい状況にあることに鑑みれば、ある程度耐久性があるものであることが望ましい。したがって、使用される素材として、ビニール系の装飾用フィルムなどが用いられる。
【００４４】
また、注意喚起シートは床上に貼付され、固定されることによって、恒常的に所定の場所に存在し、所定の効果を発揮するものであるから、注意喚起シートの裏面には、感圧性の接着剤などが塗布されていることが多い。
【００４５】
＜実施形態１：効果＞
【００４６】
図１の特徴のある形態が、注意喚起シートの周辺を歩行又は走行する人をして、上記枠部１に容易に目を留めさしめる。そして、同人が、注意喚起シートの文字配置部２に記載されている注意内容に対する注意を喚起させられる。よって注意喚起シートが、注意喚起シートが貼付された場所が危険であることを同人に容易に知らしめることができるものである。
＜＜実施形態２＞＞
【００４７】
実施形態２について説明する。
【００４８】
＜実施形態２：構成＞
【００４９】
注意喚起シートの構成は、実施形態１と全く同様である。ただし、貼付場所としては、注意を喚起させる付近の壁面に貼付される。
【００５０】
＜実施形態２：効果＞
【００５１】
注意喚起シートの効果は、実施形態１と同様であり、注意喚起シートが貼付された壁面の付近を歩行又は走行する人をして、注意喚起シートが貼付された付近の場所が危険であることを同人に容易に知らしめることができるものである。
＜＜実施形態３＞＞
【００５２】
実施形態３について説明する。
【００５３】
＜実施形態３：構成＞
【００５４】
図２に、実施形態３の注意喚起シートの図を示す。構成は、以下に述べるところを除けば、すべて実施形態１及び２と全く同じである。
【００５５】
実施形態３の注意喚起シートは、二重枠すなわちシート最周辺部に配される上記外枠部２と、上記外枠部の内側に配される内枠部３でなる枠部１と、文字が一色で描かれている前記枠部に囲まれた文字配置部４とで構成され、注意を喚起させる場所の床面又はその付近の壁面に貼付される。
【００５６】
枠部は、注意喚起シートの端にそって注意喚起シートの中央部を取り囲むように配置されている。外枠部は、枠部のうち、注意喚起シートの端に沿って配置されているもので枠部の外周部分であり、内枠部は、枠部のうち、注意喚起シートの文字配置部の端に沿って配置される枠部の内周部分である。外枠部又は内枠部は、いずれも一色であってもよく、二色以上の組合せでも良い。
【００５７】
外枠部と内枠部は、全く同じ配色ではなく、少なくとも一色は異なる色を用いる。
【００５８】
＜実施形態３：効果＞
【００５９】
注意喚起シートの効果は、実施形態１ないし３と同様であるが、特に、注意喚起シートの枠部が二重枠になっており、視覚に留まる効果が高い。
【００６０】
すなわち、枠部が二重枠となることにより、枠部の異なる二種類の色の組合せが、より視覚に留まり最初の注目を集めることができる。
【００６１】
なお、以下において、枠部、外枠部、内枠部、第一内枠部及び第二内枠部をあわせ、「枠部等」ということがある。
＜＜実施形態４＞＞
【００６２】
実施形態４について説明する。
【００６３】
＜実施形態４：構成＞
【００６４】
図３に、実施形態４の注意喚起シートの図を示す。構成は、以下に述べるところを除けば、すべて実施形態１及び２と全く同じである。
【００６５】
実施形態４の注意喚起シートは、三重枠すなわちシート最周辺部に配される上記外枠部２と、上記外枠部の内側に配される第一内枠部３と、上記第一内枠部の内側に配される第二内枠部４でなる枠部１と、文字が一色で描かれている前記枠部に囲まれた文字配置部５とで構成され、注意を喚起させる場所の床面又はその付近の壁面に貼付される。
【００６６】
枠部は、注意喚起シートの端にそって注意喚起シートの中央部を取り囲むように配置されている。外枠部は、枠部のうち、注意喚起シートの端に沿って配置されているもので枠部の外周部分であり、第二内枠部は、枠部のうち、注意喚起シートの文字配置部の端に沿って配置される枠部の内周部分である。第一内枠部は、枠部のうち、外枠部と第二内枠部の間の空間を占める枠である。外枠部、第一内枠部又は第二内枠部は、いずれも一色であってもよく、二色以上の組合せでも良い。
【００６７】
＜実施形態４：効果＞
【００６８】
注意喚起シートの効果は、実施形態１ないし３と同様であるが、特に、注意喚起シートの枠部が三重枠になっており、視覚に留まる効果が高い。
＜＜実施形態５＞＞
【００６９】
実施形態５について説明する。
【００７０】
＜実施形態５：構成＞
【００７１】
図４及び５に、実施形態５の注意喚起シートの図を示す。構成は、以下に述べるところを除けば、すべて実施形態１ないし４と全く同じである。
【００７２】
図４のとおり、実施形態５の注意喚起シートは、シート周辺部に配され、異なる有彩色又は無彩色の線が交互に配置される縞模様である枠部１と、文字が一色で描かれている前記枠部に囲まれた文字配置部２とで構成され、注意を喚起させる場所の床面又はその付近の壁面に貼付される。
【００７３】
枠部は、図５のように、枠部３が、外枠部１と内枠部２からなる、実施形態３と同様の二重枠となることもある。この場合、枠部１を構成する外枠部２及び内枠部３のそれぞれに上記縞模様が配される。
【００７４】
また、枠部は、実施形態４と同様に三重枠となることもある。この場合、前記外枠部、前記第一内枠部及び前記第二内枠部のそれぞれに上記縞模様が配される。
【００７５】
実施形態１において述べたとおり、この枠部の働きは、枠に囲まれた部分に注目を集めるためにまず、注意喚起シート自体に注目を集めるためにあり、この枠部は、いかに最初の注目を獲得するかという観点から設計される。
【００７６】
上記の観点から、実施形態５における注意喚起シートは、上記枠部に、異なる有彩色又は無彩色の線が交互に配置される縞模様が配されている。
【００７７】
上記縞模様は、いわゆる縦縞、すなわち、異なる有彩色又は無彩色の線が、注意喚起シートにおいて文字配置部に文字を描いて並べる方向である長さ方向に対して垂直の方向に描かれてもよく、いわゆる横縞、すなわち、前記長さ方向に対して平行の方向に描かれてもよく、そのいずれでもないいわゆる斜線でもよい。
【００７８】
上記枠部に配される縞模様部の各有彩色又は無彩色の色数、色の種類については限定がない。色相において類似の色、すなわち、日本色研配色体系において色相を表示する色環の上で互いに隣接する又は互いに近い位置にある色を二色又は数色を配置したり、同じ色相において彩度若しくは明度の異なる二色又は数色を配置したりし、又はこれらを組み合わせることにより、類似色の配置により実施形態１と同様の注意を喚起する効果を得ることができる。又は、色相において全く異なる色、すなわち上記色環の上の位置が互いに離れている色相の色、例えば、黄（色相番号８）、赤（色相番号２）、シアン（色相番号１６）の組合せなどを考えることができる。また、明度又は彩度において数値の異なる数色を用いたり、前記色相の異なる色とを相互に組み合わせたりすることもできる。そのような色相、明度及び彩度において、相互に離れた色を組み合わせることにより、枠部において配された縞模様がより明瞭になり、より容易に人の視覚を枠部に向けさせ注目を獲得することができる。
【００７９】
＜実施形態５：効果＞
【００８０】
図４又は５に例示される特徴のある形態のうち枠部１の縞模様が、注意喚起シートの周辺を歩行又は走行する人をして、注意喚起シートの存在に容易に目を留めさしめる。そして、同人が、注意喚起シートの文字配置部２に記載されている注意内容に対する注意を喚起させられる。よって注意喚起シートが、注意喚起シートが貼付された場所が危険であることを同人に容易に知らしめることができるものである。
＜＜実施形態６＞＞
【００８１】
実施形態６について説明する。
【００８２】
＜実施形態６：構成＞
【００８３】
図６に、実施形態６の注意喚起シートを示す。構成は、以下に述べるところを除けば、すべて実施形態５と全く同じである。
【００８４】
注意喚起シートは、ほぼ同じ太さの異なる有彩色又は無彩色の線が交互に配置され、シート周辺部に配される縞模様を持つ枠部１と、前記注意を喚起するための文字が一色で描かれている前枠部１に囲まれた文字配置部２とで構成され、注意を喚起させる場所の床面又はその付近の壁面に貼付される。
【００８５】
枠部は、実施形態２のごとき二重枠となることもあれば、実施形態３のごとき三重枠となることもある。
【００８６】
実施形態６の特徴は、実施形態５の注意喚起シートの枠部等に配された縞模様における異なる有彩色又は無彩色の線の太さが、ほぼ同じであることである。ここで、ほぼ同じとは、それぞれの太さの変動幅が２０パーセント以内となっているものをいう。
【００８７】
＜実施形態６：効果＞
【００８８】
図６に例示される特徴のある形態のうち枠部１の縞模様が、注意喚起シートの周辺を歩行又は走行する人をして、注意喚起シートの存在に容易に目を留めさしめる。特に、縞模様の異なる有彩色又は無彩色の線がほぼ同じ太さによって配されることにより、視覚により強い印象を与える。そして、同人が、注意喚起シートの文字配置部２に記載されている注意内容に対する注意を喚起させられる。よって注意喚起シートが、注意喚起シートが貼付された場所が危険であることを同人に容易に知らしめることができるものである。
＜＜実施形態７＞＞
【００８９】
＜実施形態７：概要＞
【００９０】
実施形態７について説明する。
【００９１】
＜実施形態７：構成＞
【００９２】
図７に、実施形態７にかかる注意喚起シートの図を示す。構成は、以下に述べるところを除けば、すべて実施形態５ないし６と全く同じである。
【００９３】
実施形態７の注意喚起シートは、異なる有彩色又は無彩色の斜線が交互に配置され、シート周辺部に配される縞模様を持つ枠部１と、前記注意を喚起するための文字が一色で描かれている前記縞模様部に囲まれた文字配置部２とで構成され、注意を喚起させる場所の床面又はその付近の壁面に貼付される。ここでいう斜線とは、長方形であるシートの各辺に対していずれも平行ではない線をいう。枠部は、実施形態３のごとき二重枠となることもあれば、実施形態４のごとき三重枠となることもある。
【００９４】
実施形態７の特徴は、先に述べたとおり、枠部等に配される縞模様が、先に述べた斜線であることである。
【００９５】
＜実施形態７：効果＞
【００９６】
図６に例示される枠部の特徴のある斜線の縞模様１が、注意喚起シートの周辺を歩行又は走行する人をして、上記枠部に容易に目を留めさしめる。特に、枠部２の縞模様に斜線が配されることにより、実施形態５又は６以上に、注意を喚起する効果が大きい。そして、同人が、注意喚起シートの文字配置部に記載されている注意内容に対する注意を喚起させられる。よって注意喚起シートが、注意喚起シートが貼付された場所が危険であることを同人に容易に知らしめることができるものである。
＜＜実施形態８＞＞
【００９７】
＜実施形態８：概要＞
【００９８】
実施形態８について説明する。
【００９９】
＜実施形態８：構成＞
【０１００】
図８に、実施形態８にかかる注意喚起シートの図を示す。構成は、以下に述べるところを除けば、すべて実施形態５ないし７と全く同じである。
【０１０１】
実施形態８の注意喚起シートは、二色の異なる有彩色又は無彩色の線が交互に配置され、シート周辺部に配される縞模様を持つ枠部１と、前記注意を喚起するための文字が一色で描かれている前記枠部に囲まれた文字配置部２とで構成され、注意を喚起させる場所の床面又はその付近の壁面に貼付される。枠部は、実施形態３のような二重枠となることもあれば、実施形態４のような三重枠となることもある。また、縞模様の線は、実施形態７のような斜線となることもある。
【０１０２】
実施形態８の特徴は、枠部等に配される縞模様の線が、二種類の有彩色又は無彩色からなっていることである。すなわち、二種類の有彩色又は無彩色のうち、一つを色１とし、他方を色２とすると、色１の線の両隣に隣接する線の色はいずれも色２であり、色２の線の両隣に隣接する線の色はいずれも色１である。
【０１０３】
上記二種類の色について用いる色の種類に限定はない。まず、実施形態５で述べた、色相、彩度又は明度において類似の色の組合せを用いることもできる。又は、色相又は明度又は彩度において異なる色を用いることもできる。しかし、枠部に注意を獲得するという枠部の設計の観点から考えれば、色相、明度又は彩度においてできるだけ異なった色の組合せが望ましい。例えば、前記日本色研配色体系の２４色相の色環でいえば色番号５：Ｏ（いわゆる橙色）の色と、色番号１８：Ｂ（いわゆる青色）の色を組み合わせたり、同じ色、例えば赤（色番号２：Ｒ）でも、彩度の差を１ｓと９ｓとしたりすることができる。
【０１０４】
＜実施形態８：効果＞
【０１０５】
図７の枠部の縞模様の特徴のある模様が、注意喚起シートの周辺を歩行又は走行する人をして、上記枠部１の縞模様に容易に目を留めさしめる。特に、枠部１の縞模様が二種類の色で配されることにより、注意を喚起する効果が大きい。そして、同人が、注意喚起シートの文字配置部２に記載されている注意内容に対する注意を喚起させられる。よって注意喚起シートが、注意喚起シートが貼付された場所が危険であることを同人に容易に知らしめることができるものである。
＜＜実施形態９＞＞
【０１０６】
実施形態９について説明する。
【０１０７】
＜実施形態９：構成＞
【０１０８】
図９に、実施形態９にかかる注意喚起シートの図を示す。構成は、以下に述べるところを除けば、すべて実施形態８と全く同じである。
【０１０９】
実施形態９の注意喚起シートは、二色の異なる色彩の線が交互に配置され、シート周辺部に配される縞模様を持つ枠部１と、前記注意を喚起するための文字が一色で描かれている前記枠部に囲まれた文字配置部２とで構成され、注意を喚起させる場所の床面又はその付近の壁面に貼付される。前記枠部の縞模様に配される二色は、日本色研配色体系の２４色相の色相環において、色相差が８以上１２以下である。
【０１１０】
実施形態９の特徴は、前記枠部の縞模様に配される二色は、ＪＩＳ規格Ｚ８７２１の１０色相の色相環において、色相差が互いに３以上５以下であることである。
【０１１１】
ここでいう色相差とは、ある二色の色の差につき、ＪＩＳ規格Ｚ８７２１の１０色相の色相環において、上記二色の色の一方の色の前記色相環における位置と、他方の色の前記色相環における位置との間隔を、整数の数値で表したものをいう。
【０１１２】
例えば、前記枠部等に配される縞模様のうちの一方の一色を黄、すなわち前記色相において、１Ｙないし１０Ｙのうちの一の色を選んだ場合を考える。この場合、前記色相環上において、前記黄の位置より、時計回りに色環上を進むと、３色進めた位置にある色であるいわゆる記号ＢＧすなわち青緑にあたり、さらに時計回りに色環上を進むと、前記黄より５色進めた位置にある色、すなわち前記黄と色相差が５である記号ＰＢ（青紫）にあたる。前記色相環上の前記黄の位置と前記青紫の位置を直線で結ぶと、同直線は、ちょうど色相環の中心点を通る。これが、色相差が３以上５以下の色の一部であるが、それだけでない。他方、前記色環上において、前記黄の位置より、反時計回りに色環上を進むと、３色進めた位置にある色、すなわち、記号ＲＰ（赤紫）にあたり、さらに、反時計回りに色環上を進むと、前記時計回りで進んだときと同様、前記黄の位置より５色進めた色、すなわち記号ＰＢ（前記青紫）の位置に来る。これらも、前記黄と色相差が３ないし５の色として選ぶことができる。同様に、記号Ｇの色（緑）を選んだ場合、他方一色は、ＰＢ（青紫）、Ｐ（紫）、ＲＰ（赤紫）、Ｒ（赤）、ＹＲ（黄赤）を選ぶことになる。
【０１１３】
そして、前記のとおりの色相差のある二色のうち、色相差が３ないし４の色の組合せは、いわゆる対照色相配色と呼ばれる。対照色相配色は、強い対比のある色の組合せである。色相差が５の色の組合せは、色相環の位置上、それぞれの色が相互に反対側に来る色であり、補色色相配色と呼ばれ、補色関係にある色であり、対立色ともいえる。
【０１１４】
前記のような強い対比又は対立色は、人の注意を強く喚起し、前記枠部に人の視覚を向けさせ、枠部に注目させる機能を有する。
【０１１５】
＜実施形態９：効果＞
【０１１６】
図９に例示される枠部１の縞模様の特徴のある模様が、注意喚起シートの周辺を歩行又は走行する人をして、上記枠部１の縞模様に容易に目を留めさしめる。特に、枠部の縞模様が二種類の色で配され、その二種類の色の色差が８以上１２以下となることにより、視覚に対して注意を喚起する効果が大きい。そして、同人が、注意喚起シートの文字配置部２に記載されている注意内容に対する注意を喚起させられる。よって注意喚起シートが、注意喚起シートが貼付された場所が危険であることを同人に容易に知らしめることができるものである。
＜＜実施形態１０＞＞
【０１１７】
実施形態１０について説明する。
【０１１８】
＜実施形態１０：構成＞
【０１１９】
図１０に、実施形態１０にかかる注意喚起シートの図を示す。構成は、以下に述べるところを除けば、すべて実施形態８と全く同じである。
【０１２０】
図１０の注意喚起シートは、二色の異なる有彩色又は無彩色の線が交互に配置され、シート周辺部に配される縞模様を持つ枠部１と、前記注意を喚起するための文字が一色で描かれている前記枠部に囲まれた文字配置部２とで構成され、注意を喚起させる場所の床面又はその付近の壁面に貼付される。
【０１２１】
実施形態１０の特徴は、前記二種類の有彩色又は無彩色のうち、一方一種類は，前記ＪＩＳ規格Ｚ８７２１における明度が０ないし３．０のうちのいずれか一であり、かつ、前記彩度が０ないし２のいずれか一である有彩色又は無彩色（いわゆる黒色に近い色。以下、「黒等」という。）で描かれた線であり、他方一種類は、前記ＪＩＳ規格Ｚ８７２１の１０色相の色相環における色相がＹ又はＹＲのいずれか一で定義され、明度が６以上であり、かつ、彩度が４以上である有彩色、すなわちいわゆる黄又はこれに類する色彩（以下「黄等」という。）で描かれた線であることである。
【０１２２】
繰り返し述べているように、枠部等の機能は、人の視覚をまず最初に枠部に注目させることにある。そして、日本工業規格の安全彩色においても、黄は注意を表す色とされており、黒色は、その補助色とされている。実施形態１０の上記色彩の特徴は、上記色彩が配される枠部に人の注意を強く向けることになる。
【０１２３】
＜実施形態１０：効果＞
【０１２４】
図２１ないし２４の枠部の縞模様の特徴のある模様が、注意喚起シートの周辺を歩行又は走行する人をして、上記枠部１の縞模様に容易に目を留めさしめる。特に、枠部の縞模様が黄と黒色の二種類の色で配されているが、黄は一般的に危険を表す色とされており、注意を喚起する効果が大きい。そして、同人が、注意喚起シートの文字配置部２に記載されている注意内容に対する注意を喚起させられる。よって注意喚起シートが、注意喚起シートが貼付された場所が危険であることを同人に容易に知らしめることができるものである。
＜＜実施形態１１＞＞
【０１２５】
実施形態１１について説明する。
【０１２６】
＜実施形態１１：構成＞
【０１２７】
図１１に、実施形態１１にかかる注意喚起シートの図を示す。構成は、以下に述べるところを除けば、すべて実施形態８ないし１０と全く同じである。
【０１２８】
実施形態１１の注意喚起シートは、二色の異なる有彩色又は無彩色の線が交互に配置され、シート周辺部に配される縞模様を持つ枠部１と、前記注意を喚起するための文字が一色で描かれている前記縞模様部に囲まれた文字配置部２とで構成され、注意を喚起させる場所の床面又はその付近の壁面に貼付される。前記二種類の色彩については、実施形態１０と同様、黒等及び黄等である。そして、実施形態１１においては、前記二種類の有彩色又は無彩色の線のうち、幅の比率が１：２から１：１０である。
【０１２９】
実施形態１１の特徴は、前記枠部等に配された一方一種類の黒等の有彩色又は無彩色の線の幅が、他方一種類の黄等の有彩色の線の幅より狭く、具体的には、幅の比率は、黒等の線の幅：黄等の色彩の線の幅につき、１：２ないし１：１０のものである。
【０１３０】
実施形態１０で述べたとおり、枠部等に配された黒等と黄等の二種類の色が、枠部に注意を集める効果が高いが、実施形態１１のとおり、二種類の色彩の線のうち、黄等の色彩の線の幅を黒等の色彩の線の幅より２倍以上広くすることにより、枠部における注意色としての黄が占める面積がより大きくなり、そのため、枠部に対して人の注意を集める効果が高まる。
【０１３１】
しかし、黒色の線の色があまりに細すぎるならば、縞模様としての枠部に人の注意を喚起する機能が弱まるから、上記幅の比率の上限は１：１０とされる。
【０１３２】
＜実施形態１１：効果＞
【０１３３】
図１１に例示される枠部１の縞模様の特徴のある模様が、注意喚起シートの周辺を歩行又は走行する人をして、上記枠部の縞模様に容易に目を留めさしめる。特に、枠部の縞模様が黄等と黒等の二種類の色で配されているが、黄等は一般的に危険を表す色とされており、注意を喚起する効果が大きい。加えて、前記一方一種類の黒色の色彩で描かれた線と、他方一種類の黄等の色彩で描かれた線との幅の比率が１：２から１：１０であり、すなわち、黄等の線の幅が黒色の線の幅に比し２倍ないし１０倍となる。かように黄等を強調することにより、より視覚に留まる効果が大きい。同人が、注意喚起シートの文字配置部２に記載されている注意内容に対する注意を喚起させられる。よって注意喚起シートが、注意喚起シートが貼付された場所が危険であることを同人に容易に知らしめることができるものである。
＜＜実施形態１２＞＞
【０１３４】
実施形態１２について説明する。
【０１３５】
＜実施形態１２：構成＞
【０１３６】
図１２に、実施形態１２にかかる注意喚起シートの図を示す。構成は、以下に述べるところを除けば、すべて実施形態１ないし１１と全く同じである。
【０１３７】
図２９の注意喚起シートは、シート周辺部に配される枠部１と、文字が一色で描かれている前記枠部に囲まれた文字配置部２とで構成され、注意を喚起させる場所の床面又はその周囲の壁面に貼付される。前記文字の色は、前記ＪＩＳ規格Ｚ８７２１における明度が７．５以上である有彩色又は無彩色、すなわち、白色又はこれに類するもの（以下「白色等」という。）するものである。
【０１３８】
本実施形態の特徴は、前記文字配置部の文字が、白色等であることである。先に述べたとおり、本注意喚起シートは、先に枠部が集めた視線を即座にこの枠部に取り囲まれた文字配置部に部分に移動させ、前記文字配置部に伝達したい情報をわかりやすく記載などして所定の注意を喚起し、所望の効果を期待するものである。したがって、文字配置部に配される文字は瞬間的に容易に判読できるものでなければならない。
【０１３９】
実施形態１２は、文字配置部に配置された文字に、白色等を配する。明度の高い白色等を配することによって、また、上記枠部との色の対照性によって、見るものが容易に文字を判読することができるようになる。
【０１４０】
したがって、上記枠部に配される色は、白色以外の色を用いることが望ましい。また、白色等は、明度が高い。したがって、枠部に配される色については、それが一色の場合には、文字の色とのコントラストを高めるため、白色以外の有彩色又は無彩色が望ましい。かつ、上記枠部に配される色については、彩度がＪＩＳ規格Ｚ８７２１において４以上と高もの、又は、明度が低い色（上記体系でいえば５．０未満）を用いることが望ましい。また、枠部に配される色が二色以上の場合、うち一色は、上記と同様、彩度が４以上のもの又は明度が５．０未満の色を配することが望ましい。
【０１４１】
＜実施形態１２：効果＞
【０１４２】
図１２に例示される特徴のある形態が、注意喚起シートの周辺を歩行又は走行する人をして、上記枠部に容易に目を留めさしめる。そして、同人が、注意喚起シートの文字配置部２に記載されている注意内容に対する注意を喚起させられる。よって注意喚起シートが、注意喚起シートが貼付された場所が危険であることを同人に容易に知らしめることができるものである。
【０１４３】
文字配置部の前記文字は明度の高い白色等であり、上記枠部との色の対照性によって、容易に文字を判読することができる。よって注意喚起シートが、注意喚起シートが貼付された場所が危険であることを同人に容易に知らしめることができるものである。
＜＜実施形態１３＞＞
【０１４４】
実施形態１３について説明する。
【０１４５】
＜実施形態１３：構成＞
【０１４６】
図１３に、実施形態１３にかかる注意喚起シートの図を示す。構成は、以下に述べるところを除けば、すべて実施形態１ないし１１と全く同じである。
【０１４７】
実施形態の注意喚起シートは、シート周辺部に配される枠部１と、文字が一色で描かれている前記枠部に囲まれた文字配置部２とで構成され、さらに、前記文字配置部２は、背景３と文字４で構成され、注意を喚起させる場所の床面又はその周囲の壁面に貼付される。前記文字配置部の背景は一色の有彩色で描かれた矩形であり、前記文字配置部における文字は一色の有彩色で描かれ、前記文字の色と、前記背景の色とは、前記ＪＩＳ規格Ｚ８７２１の１０色相の色相環において、色相差が互いに３以上５以下である。色相差が互いに３以上５以下であることの具体的意味は、実施形態９における説明と全く同様である。
【０１４８】
文字配置部の背景とは、注意喚起シートから、枠部を除いた矩形の部分をいう。
【０１４９】
実施形態１３の特徴は、それぞれ一色の色で配された前記文字の色と、前記背景の色とは、前記ＪＩＳ規格Ｚ８７２１の１０色相の色相環において、色相差が互いに３以上５以下であることである。
【０１５０】
色相差が人の注意を喚起する効果については、実施形態９に記載の内容と同様、強い対比又は対立色によって、人の注意を強く喚起する。すなわち、文字配置部の背景と、文字部の間の大きな色相差が生み出す対比又は対立の色彩が、特徴ある注意喚起シートの形態とともに、人の視覚を捕らえるものとなる。
【０１５１】
そして、文字配置部に色相差の大きい文字と背景を配置することにより、文字の判別性を高め、文字配置部に記載されている文字に含まれるメッセージを容易に伝え、所望の結果を得ることができる。
【０１５２】
＜実施形態１３：効果＞
【０１５３】
図１３の特徴のある形態及び、文字配置部の背景と文字部の間の大きな色相差が生み出す対比又は対立の色彩が、注意喚起シートの周辺を歩行又は走行する人をして、上記枠部に容易に目を留めさしめる。そして、同人が、注意喚起シートの文字配置部２に記載されている注意内容に対する注意を喚起させられる。よって注意喚起シートが、注意喚起シートが貼付された場所が危険であることを同人に容易に知らしめることができるものである。
＜＜実施形態１４＞＞
【０１５４】
実施形態１４について説明する。
【０１５５】
＜実施形態１４：構成＞
【０１５６】
図１４に、実施形態１４にかかる注意喚起シートの図を示す。構成は、以下に述べるところを除けば、すべて実施形態１ないし１１と全く同じである。
【０１５７】
実施形態１４の注意喚起シートは、シート周辺部に配される枠部１と、文字が一色で描かれている前記枠部に囲まれた文字配置部２とで構成され、さらに、さらに、前記文字配置部２は、背景３と文字４で構成されており、注意を喚起させる場所の床面又はその周囲の壁面に貼付される。背景３は、ＪＩＳ規格Ｚ８７２１の１０色相の色相環における色相がＹ又はＹＲのいずれか一で定義され、明度が６以上であり、かつ、彩度が４以上である有彩色で描かれた矩形であり、前記文字配置部の文字は、前記ＪＩＳ規格Ｚ８７２１における明度が０ないし３．０のうちのいずれか一であり、かつ、前記彩度が０ないし２のいずれか一である有彩色又は無彩色、すなわち、黒等である。
【０１５８】
実施形態１４の特徴は、前記文字配置部の背景が黄等の色彩で描かれた矩形であり、前記文字配置部の文字は、黒等である点にある。
【０１５９】
黄等と黒色の組合せが人の注意を喚起する効果があることは、実施形態１０において述べたとおりである。本実施形態においては、上記文字配置部の色の組合せにより、文字配置部に記載されている文字に含まれるメッセージを容易に伝え、所望の結果を得ることができる。
【０１６０】
＜実施形態１４：効果＞
【０１６１】
図１４に例示される特徴のある形態が、注意喚起シートの周辺を歩行又は走行する人をして、上記枠部に容易に目を留めさしめる。そして、同人が、注意喚起シートの文字配置部２に記載されている注意内容に対する注意を喚起させられる。よって注意喚起シートが、注意喚起シートが貼付された場所が危険であることを同人に容易に知らしめることができるものである。
【０１６２】
文字配置部２の前記文字を、視認性の高い黄等とし、文字の背景を黒色とすることで、前記文字の判読性はさらに高まる。よって注意喚起シートが、注意喚起シートが貼付された場所が危険であることを同人に容易に知らしめることができるものである。
＜＜実施形態１５＞＞
【０１６３】
実施形態１５について説明する。
【０１６４】
＜実施形態１５：構成＞
【０１６５】
図１５に、実施形態１５の注意喚起シートの図を示す。構成は、以下に述べるところを除けば、すべて実施形態１ないし１４と全く同じである。
【０１６６】
図１５の透明保護シート４は、前記描画シートの上面を保護するための透明保護シートである。注意喚起シートは、シート周辺部に配される枠部２と、文字が一色で描かれている前記枠部に囲まれた文字配置部３とで構成される描画シート１と、前記描画シートの上面を保護するための透明保護シート４で構成され、注意を喚起させる場所の床面又は壁面に貼付される。
【０１６７】
本実施形態の特徴は、実施形態１ないし１４の注意喚起シートにつき、前記描画シートの上面を保護する透明保護シートで構成されていることである。
【０１６８】
「描画シート」とは、注意喚起シートのうち、枠部及び文字配置部が直接に描画されたシートである。描画シートの表面は、文字が描画されており、裏面は、床面又は壁面に貼付するための接着剤を塗布することができる。描画シートの材質としては、ある程度の耐久性が求められることを考ええれば、ビニール系のフィルムなどが考えられる。
【０１６９】
「透明保護シート」とは、前記描画シートの上面にラミネートされる透明のシートである。透明保護シートの面のうち、前記描画シートとの接触面には、透明の粘着材が塗布されている。前記透明保護シートは、これを描画シートの上面に配した場合でも、枠部又は文字配置部が明瞭に見える必要があるから、その色彩は、無色透明である。
【０１７０】
前記のとおり、注意喚起シートは、床に貼付されるものについては、同シートの上を、人が歩行したり台車などの重量物が通過したりすることによって磨耗、引っかき傷が生じやすい。また、床に貼付される場合も、壁面に貼付される場合も汚れがつきやすい状況にある。そして、注意喚起シートは、長期間に亘り当該シートが貼付される場所で用をなすものであるから、ある程度耐久性があるものであることが望ましい。そのため、前記描画シートの上面に、透明保護シートを配し、注意喚起シートが損傷されにくいものとし、注意喚起シートの耐久性を高め、長期間に亘り所望の効果を発揮するようにするものである。
【０１７１】
上記のような観点から、透明保護シートはある程度耐久性のあるものが望ましい。
【０１７２】
さらに、注意喚起シートが、床に貼付されることから、注意喚起シートの上を走行又は歩行する人が滑って転倒するなどの事故を防止する必要もある。
【０１７３】
前記のような観点に立てば、透明保護シートは滑りにくいものが望ましい。透明保護シートの材質としては、ポリプロピレン、ポリエステル、塩化ビニル、ポリフッ化ビニル等の材質が考えられる。
【０１７４】
＜実施形態１５：効果＞
【０１７５】
図１５に例示される特徴のある形態が、注意喚起シートの周辺を歩行又は走行する人をして、上記枠部に容易に目を留めさしめる。そして、同人が、注意喚起シートの文字配置部に記載されている注意内容に対する注意を喚起させられる。よって注意喚起シートが、注意喚起シートが貼付された場所が危険であることを同人に容易に知らしめることができるものである。
さらに、図１５のとおり、描画シート１の上面を保護する透明保護シート４を被覆することにより、描画シートの耐久性を高めている。
＜＜実施形態１６＞＞
【０１７６】
実施形態１６について説明する。
【０１７７】
＜実施形態１６：構成＞
【０１７８】
図１６に、実施形態１６の注意喚起シートの図を示す。構成は、以下に述べるところを除けば、すべて実施形態１ないし１５と全く同じである。
【０１７９】
注意喚起シートは、シート周辺部に配される枠部１と、文字が一色で描かれている前記枠部に囲まれた文字配置部２とで構成され、注意を喚起させる場所の床面又はその周囲の壁面に貼付される。前記シートの形状は、矩形であり、前記文字を描いて並べる方向である長さ方向と、前記長さ方向に直角を成す方向である幅方向とが、４：１から２０：１の範囲である。
【０１８０】
本実施形態の特徴は、注意喚起シートの形状である。すなわち、矩形の注意喚起シートは、前記長さ方向の長さが、前記幅方向の長さに比べ、４倍ないし２０倍の長さを持つ。
【０１８１】
前記形状は、注意喚起シート自体に注目を集めるために定められる。人が送る日常生活において、矩形のものを目にする機会は多い。すなわち、屋外屋内を問わず、看板、張り紙、名札等である。しかし、これらの矩形の形状を持つ物品は、いずれも、矩形の一つの辺の長さとこれに直角に交差する他方の辺の長さとの比率は、１：２以下であることが多い。実際、人が日常生活で目にすることが多い矩形のうち多いのは用紙といえるが、ＪＩＳ規格の用紙の各辺の長さの比率は、１：√２である。
【０１８２】
ところが、本実施形態は、前記日常目にする形状とは異なり、前記長さ方向が、前記幅方向の４倍以上という細長い形状を有する。
【０１８３】
先に述べたとおり、注意喚起シートの目的は、注意喚起シート自体が周囲の者の注意を獲得し、次いでシートに記載されている情報に注意を向け、注意喚起シートを見る者に前記情報を伝え、注意を喚起することにある。前記枠部は、注意喚起シートに注目を集めるために色彩、模様等が工夫されている。本実施形態における、注意喚起シートの形状も、同様の目的に資するものである。すなわち、日常目にしない特徴のある形状が、床面又は壁面に存することにより、周囲を走行又は歩行する者をして容易に注意喚起シートの存在に気づかせ、注目を集めることになるものである。
【０１８４】
＜実施形態１６：効果＞
【０１８５】
図１６に例示される特徴のある形態が、注意喚起シートの周辺を歩行又は走行する人をして、上記枠部に容易に目を留めさしめる。そして、同人が、注意喚起シートの文字配置部２に記載されている注意内容に対する注意を喚起させられる。よって注意喚起シートが、注意喚起シートが貼付された場所が危険であることを同人に容易に知らしめることができるものである。
【０１８６】
そして、同人が、注意喚起シートの文字配置部に記載されている注意内容に対する注意を喚起させられる。よって注意喚起シートが、注意喚起シートが貼付された場所が危険であることを同人に容易に知らしめることができるものである。
＜＜実施形態１７＞＞
【０１８７】
実施形態１７について説明する。
【０１８８】
＜実施形態１７：構成＞
【０１８９】
図１７に、実施形態１７の注意喚起シートの図を示す。構成は、以下に述べるところを除けば、すべて実施形態１ないし１６と全く同じである。
【０１９０】
実施形態１７の注意喚起シートは、シート周辺部に配される枠部１と、文字が一色で描かれている前記枠部に囲まれた文字配置部２とで構成され、注意を喚起させる場所の床面又はその周囲の壁面に貼付される。前記シートの前記枠部の前記幅方向の幅である枠部幅と、前記文字配置部の前記幅方向の幅である文字配置部幅とは、１：４から１：７の範囲である。
【０１９１】
本実施形態の特徴は、前記枠部幅と、前記文字配置部幅の割合を、１：４ないし１：７の範囲において定めたところである。すなわち、文字配置部の幅は、シート全体の幅の８０パーセントから８７．５パーセントの範囲の幅を占めている。そのような文字配置部の幅を広く取ることにより、前記枠部が注意を集めた視覚が、容易に文字配置部に移り、注意喚起シートの文字配置部に記載されている注意内容に対する注意が喚起させられ、所望の効果を発揮するものである。
【０１９２】
＜実施形態１７：効果＞
【０１９３】
図１７の特徴のある形態が、注意喚起シートの周辺を歩行又は走行する人をして、上記枠部に容易に目を留めさしめる。そして、同人が、注意喚起シートの文字配置部に記載されている注意内容に対する注意を喚起させられる。よって注意喚起シートが、注意喚起シートが貼付された場所が危険であることを同人に容易に知らしめることができるものである。
【０１９４】
そして、前記のとおり、文字配置部の幅を広く取ることにより、縞模様部のみならず文字部に同人の注意が喚起されやすくなる。同人が、注意喚起シートの文字配置部に記載されている注意内容に対する注意を喚起させられる。よって注意喚起シートが、注意喚起シートが貼付された場所が危険であることを同人に容易に知らしめることができるものである。
＜＜実施形態１８＞＞
【０１９５】
実施形態１８について説明する。
【０１９６】
＜実施形態１８：構成＞
【０１９７】
図１８に、実施形態１８の注意喚起シートの図を示す。構成は、以下に述べるところを除けば、すべて実施形態１ないし１７と全く同じである。
【０１９８】
実施形態１８の注意喚起シートは、シート周辺部に配される枠部１と、文字が一色で描かれている前記枠部に囲まれた文字配置部２とで構成され、注意を喚起させる場所の床面又はその周囲の壁面に貼付される。前記文字配置部幅と、前記文字配置部に配される文字の最大高さとの比率は、１０：５から１０：９の範囲である。
【０１９９】
文字配置部幅とは、注意喚起シートの文字配置部のうち、文字を描いて並べる方向と直角をなす方向の幅をいう。文字の最大高さとは、文字配置部に描いて並べられた複数の文字のうち、文字の上下方向の高さが最も高い文字の高さをいう。
【０２００】
本実施形態の特徴は、前記文字配置部幅と、前記文字配置部に配される文字の最大高さとの比率を、１０：５から１０：９の範囲と定めたところである。すなわち、文字の幅は、前記文字配置部幅全体の幅の５０パーセントから９０パーセントの範囲の幅を占めている。
【０２０１】
先に述べたように、文字配置部は、枠部によって注意喚起シートに集められた視線を動させることでその文字に注目をさせ、その文字が表している内容により注意を喚起するものである。したがって、文字の大きさは、その文字を読ませることを想定している人物が、視線を文字配置部に注目した瞬間のほんのわずかな時間で読み取り、かつ容易に内容を理解できるようにする必要がある。
【０２０２】
そのため、本実施形態では、文字の最大高さを前記の割合で定めた。
【０２０３】
なお、文字に関しては、本実施形態のとおり最大高さを定めることが望ましいほか、実施形態１２ないし１５のとおり、文字を白色としたり、文字と背景につき、その両者の明度、彩度及び色相差について大きくなり、コントラストを高めるなどが望ましい。
【０２０４】
＜実施形態１８：効果＞
【０２０５】
図１８の特徴のある形態が、注意喚起シートの周辺を歩行又は走行する人をして、上記枠部に容易に目を留めさしめる。そして、同人が、注意喚起シートの文字配置部に記載されている注意内容に対する注意を喚起させられる。よって注意喚起シートが、注意喚起シートが貼付された場所が危険であることを同人に容易に知らしめることができるものである。
＜＜実施形態１９＞＞
【０２０６】
実施形態１９について説明する。
【０２０７】
＜実施形態１９：構成＞
【０２０８】
図１９に、実施形態１９の注意喚起シートの図を示す。構成は、以下に述べるところを除けば、すべて実施形態１ないし１７と全く同じである。
【０２０９】
実施形態１９の注意喚起シートは、シート周辺部に配される枠部１と、文字が一色で描かれている前記枠部に囲まれた文字配置部２とで構成され、注意を喚起させる場所の床面又はその周囲の壁面に貼付される。前記文字配置部には、前記文字配置部幅方向に二段に分けて文字が配置されており、前記二段に分けられて配置される文字列は、互いに上下逆向きに配置される。
【０２１０】
二段に分けられて文字が配置されるとは、矩形である前記文字配置部を、その前記幅のほぼ中央付近で、前記長さ方向に平行するいわば中心線で方向に分割することである。すなわち、細長い矩形である文字配置部を、さらに細長い矩形部分に分割することである。しかし、実際に、長さ方向に平行する線を描くわけではない。
【０２１１】
そして、分割した上記矩形部分に、文字を並べて描くものである。
【０２１２】
この場合、文字の高さは、分割後の矩形部分の幅方向の幅の長さとほぼ同じであることが望ましい。
【０２１３】
先に述べたように、文字配置部は、枠部によって注意喚起シートに集められた視線を動させることでその文字に注目をさせ、その文字が表している内容により注意を喚起するものである。したがって、文字は、その文字を読ませることを想定している人物が、視線を文字配置部に注目した瞬間のほんのわずかな時間で読み取り、かつ容易に内容を理解できるようにする必要がある。
【０２１４】
そして、注意喚起シートの周囲を走行又は歩行している人が、床面上に配置された注意喚起シートに記載された文字の内容を一瞬で内容を読み取るためには、文字を見る者から見て、文字が上下逆になっているよりは、上下が正しく表示されていることは大きく有利に働く。ましてや、その文字を読ませることを想定する者が、学校等に通う児童等である場合、その読解力は成人に比べ劣っていることから、見る者にとって、前記文字が上下正しく表示されていることが望ましい。
【０２１５】
本実施形態は、かかる観点から、前記文字配置部に、前記幅方向に二段に分けて文字を配置した。これによって、注意喚起シートの周辺を歩行又は走行する人は、シートのどの方向から見てもシートに書かれている文字を容易に判読することができる。
【０２１６】
なお、本実施形態によれば、文字配置部の文字が小さくなることは否定できない。したがって、文字の色、又は文字と背景の色相、明度及び彩度の差を大きくしコントラストを高くするなど、文字を判読しやすくする工夫があることが望ましい。
【０２１７】
＜実施形態１９：効果＞
【０２１８】
図１９の特徴のある形態が、注意喚起シートの周辺を歩行又は走行する人をして、上記枠部に容易に目を留めさしめる。そして、同人が、注意喚起シートの文字配置部に記載されている注意内容に対する注意を喚起させられる。よって注意喚起シートが、注意喚起シートが貼付された場所が危険であることを同人に容易に知らしめることができるものである。
【０２１９】
前記文字配置部には、前記幅方向に二段に分けて文字が配置されており、前記二段に分けられて配置される、これによって、注意喚起シートの周辺を歩行又は走行する人が、シートのどの方向から見てもシートに書かれている文字を容易に判読することができる。
＜＜実施形態２０＞＞
【０２２０】
実施形態２０について説明する。
【０２２１】
＜実施形態２０：構成＞
【０２２２】
図２０に、実施形態２０の注意喚起シートの図を示す。構成は、以下に述べるところを除けば、すべて実施形態１ないし１９と全く同じである。
【０２２３】
実施形態２０の注意喚起シートは、シート周辺部に配される枠部１と、文字が一色で描かれている前記枠部に囲まれた文字配置部２とで構成され、注意を喚起させる場所の床面又はその周囲の壁面に貼付される。
【０２２４】
上記文字配置部には、非常口の位置又は方向を示す文字が配される。例えば、上記文字配置部に配される非常口の位置又は方向を示す文字としては、「←非常口」、「←ひじょうぐち」、「←  ひじょうぐち  このさき」など、非常口であることを示す文字と、非常口の位置又は方向を示す文字又は記号の組合せ等を用いることができる。文字配置部に描く文字の選択は、注意喚起シートの文字を読ませることを想定している人物の年齢、発達段階等によって選択される。
【０２２５】
＜実施形態２０：効果＞
【０２２６】
図２０の特徴のある形態が、注意喚起シートの周辺を歩行又は走行する人をして、上記枠部に容易に目を留めさしめる。そして、同人が、注意喚起シートの文字配置部に記載されている注意内容に対する注意を喚起させられる。よって注意喚起シートが、非常口の位置又は方向を同人に容易に知らしめることができるものである。
＜＜実施形態２１＞＞
【０２２７】
実施形態２１について説明する。
【０２２８】
＜実施形態２１：構成＞
【０２２９】
図２１に、実施形態２１の注意喚起シートの図を示す。構成は、以下に述べるところを除けば、すべて実施形態１ないし１９と全く同じである。
【０２３０】
実施形態２１の注意喚起シートは、シート周辺部に配される枠部１と、文字が一色で描かれている前記枠部に囲まれた文字配置部２とで構成され、注意を喚起させる場所の床面又はその周囲の壁面に貼付される。
【０２３１】
上記文字配置部２には、消火器又は消火栓の存在又は位置を示す文字が配される。
【０２３２】
上記文字配置部に配される消火器又は消火栓の存在又は位置を示す文字としては、「しょうかせんあり」、「消火栓」、など、非常口の存在を示す文字と、同文字と非常口の位置を示す文字又は記号の組合せ等を用いることができる。
【０２３３】
どのような文字を記載するかを判断する要素は、実施形態２０の場合と同様である。
【０２３４】
＜実施形態２１：効果＞
【０２３５】
図２１の特徴のある形態が、注意喚起シートの周辺を歩行又は走行する人をして、上記枠部に容易に目を留めさしめる。そして、同人が、注意喚起シートの文字配置部に記載されている注意内容に対する注意を喚起させられる。よって注意喚起シートが、消火栓又は消火器の存在又は位置を同人に容易に知らしめることができるものである。
＜＜実施形態２２＞＞
【０２３６】
実施形態２２について説明する。
【０２３７】
＜実施形態２２：構成＞
【０２３８】
図２２に、実施形態２２のシャッター構造体の図を示す。構成は、以下に述べるところを除けば、すべて実施形態１ないし１９と全く同じである。
【０２３９】
実施形態２２のシャッター構造体は、実施形態１又は３ないし１９に記載の前記注意喚起シート２を、防火シャッター１を下ろした際の床と前記防火シャッター１下面との接触面に配置したものである。  注意喚起シート１は、枠部３と、文字配置部４で構成されている。
【０２４０】
＜実施形態２２：効果＞
【０２４１】
図２２の図のうち、注意喚起シート１の特徴のある形態が、注意喚起シートの周辺を歩行又は走行する人をして、上記枠部に容易に目を留めさしめる。そして、同人が、注意喚起シートの文字配置部に記載されている注意内容に対する注意を喚起させられる。よって注意喚起シートが、注意喚起シートの上部にシャッターがあることを容易に知らしめることができるものである。
＜＜実施形態２３＞＞
【０２４２】
実施形態２３について説明する。
【０２４３】
＜実施形態２３：構成＞
【０２４４】
実施形態２３は、実施形態２２のシャッター構造体を有する児童が利用する建築物である。ここで児童が利用する建築物とは、学校教育法第１条に定めるところの学校のうち、小学校、中学校、高等学校、高等専門学校、盲学校、聾学校、養護学校若しくは幼稚園、児童福祉法第７条に定める児童福祉施設（助産施設、乳児院、母子生活支援施設、保育所、児童厚生施設、児童養護施設、知的障害児施設、知的障害児通園施設、盲ろうあ児施設、肢体不自由児施設、重症心身障害児施設、情緒障害児短期治療施設、児童自立支援施設若しくは児童家庭支援センター）、又は医療法に定める病院若しくは診療所をいう。
【０２４５】
＜実施形態２３：効果＞
【０２４６】
請求項２２のシャッター構造体を有することにより、上記建築物の安全性が飛躍的に高まる。
＜＜実施形態２４＞＞
【０２４７】
実施形態２４について説明する。
【０２４８】
＜実施形態２４：構成＞
【０２４９】
図２３に、実施形態２４の防火扉構造体の図を示す。構成は、以下に述べるところを除けば、すべて実施形態１ないし１９と全く同じである。
【０２５０】
実施形態２４の防火扉構造体は、実施形態１又は３ないし１９に記載の注意喚起シート１を、防火扉を開閉する際の防火扉と、床との通過領域に配置したものである。
【０２５１】
注意喚起シート１は、枠部２と、文字配置部３で構成されている。
【０２５２】
＜実施形態２４：効果＞
【０２５３】
図２３の図のうち、注意喚起シート１の特徴のある形態が、注意喚起シートの周辺を歩行又は走行する人をして、上記枠部に容易に目を留めさしめる。そして、同人が、注意喚起シートの文字配置部に記載されている注意内容に対する注意を喚起させられる。よって注意喚起シートが、注意喚起シートが配置された場所が防火扉が通過する場所であることを容易に知らしめることができるものである。
＜＜実施形態２５＞＞
【０２５４】
実施形態２５について説明する。
【０２５５】
＜実施形態２５：構成＞
【０２５６】
請求項２４の防火扉構造体を有する児童が利用する建築物である。ここで児童が利用する建築物とは、実施形態２４でいうものと同一である。
【０２５７】
＜実施形態２５：効果＞
【０２５８】
請求項２２の防火扉構造体を有することにより、上記建築物の安全性が飛躍的に高まる。
＜＜実施形態２６＞＞
【０２５９】
実施形態２６について説明する。
【０２６０】
＜実施形態２６：構成＞
【０２６１】
図２４に、実施形態２６の下足口の図を示す。
【０２６２】
図２４のうち、段差の境界付近に注意喚起シート１が配置される。注意喚起シート１の形状は、請求項１又は３ないし１９のものが使用される。注意喚起シート１は、枠部２と、文字配置部３で構成されている。
【０２６３】
文字配置部１に記載される文字は、「あぶない。だんさがある！」、「きけん。ここであそばないで」などの注意を喚起する文字が使用される。
【０２６４】
＜実施形態２６：効果＞
【０２６５】
図２４の図のうち、注意喚起シート１の特徴のある形態が、注意喚起シートの周辺を歩行又は走行する人をして、上記枠部に容易に目を留めさしめる。そして、同人が、注意喚起シートの文字配置部に記載されている注意内容に対する注意を喚起させられる。よって注意喚起シートが、同シートのある場所が下足口の床面の段差の上段にあり、危険であることを容易に知らせることができる。
【図面の簡単な説明】
【図１】注意喚起シートの実施方法を示した説明図。
【図２】注意喚起シートの実施方法を示した説明図。
【図３】注意喚起シートの実施方法を示した説明図。
【図４】注意喚起シートの実施方法を示した説明図。
【図５】注意喚起シートの実施方法を示した説明図。
【図６】注意喚起シートの実施方法を示した説明図。
【図７】注意喚起シートの実施方法を示した説明図。
【図８】注意喚起シートの実施方法を示した説明図。
【図９】注意喚起シートの実施方法を示した説明図。
【図１０】注意喚起シートの実施方法を示した説明図。
【図１１】注意喚起シートの実施方法を示した説明図。
【図１２】注意喚起シートの実施方法を示した説明図。
【図１３】注意喚起シートの実施方法を示した説明図。
【図１４】注意喚起シートの実施方法を示した説明図。
【図１５】注意喚起シートの実施方法を示した説明図。
【図１６】注意喚起シートの実施方法を示した説明図。
【図１７】注意喚起シートの実施方法を示した説明図。
【図１８】注意喚起シートの実施方法を示した説明図。
【図１９】注意喚起シートの実施方法を示した説明図。
【図２０】注意喚起シートの実施方法を示した説明図。
【図２１】注意喚起シートの実施方法を示した説明図。
【図２２】注意喚起シートの実施方法を示した説明図。
【図２３】注意喚起シートの実施方法を示した説明図。
【図２４】注意喚起シートの実施方法を示した説明図。
【符号の説明】
１  枠部
２  文字配置部
【図１】
2004325977.tif 000003
【図２】
2004325977.tif 000004
【図３】
2004325977.tif 000005
【図４】
2004325977.tif 000006
【図５】
2004325977.tif 000007
【図６】
2004325977.tif 000008
【図７】
2004325977.tif 000009
【図８】
2004325977.tif 000010
【図９】
2004325977.tif 000011
【図１０】
2004325977.tif 000012
【図１１】
2004325977.tif 000013
【図１２】
2004325977.tif 000014
【図１３】
2004325977.tif 000015
【図１４】
2004325977.tif 000016
【図１５】
2004325977.tif 000017
【図１６】
2004325977.tif 000018
【図１７】
2004325977.tif 000019
【図１８】
2004325977.tif 000020
【図１９】
2004325977.tif 000021
【図２０】
2004325977.tif 000022
【図２１】
2004325977.tif 000023
【図２２】
2004325977.tif 000024
【図２３】
2004325977.tif 000025
【図２４】
2004325977.tif 000026